(57)【要約】      （修正有）【課題】本発明の目的は、前側支柱に強固に取り付けることができるパレット落下防止用ストッパー体を提供する。【解決手段】パレット落下防止用ストッパー体Ｓは、前側に位置する前側支柱３に取り付けられ、腕木４に支持されたパレットの前側への移動をパレットに当接して阻止するストッパー部を有する本体１０を備えたパレット落下防止用ストッパー体Ｓであって、本体１０に取り付けられ、前側支柱３の前面３Ａに当接する前面当接部材１１と、この前面当接部材１１に接続され、前側支柱３の一方の側面３Ｂに当接する第１の側面当接部材１２と、前面当接部材１１に接続され、前側支柱３の他方の側面３Ｃに当接する第２の側面当接部材１３と、前側支柱３の背面３Ｄ、第１の側面当接部材１２及び第２の側面当接部材１３に当接し、本体１０に取り付けられた取り付け部材１４と、本体１０に取り付け部材１４を取り付ける取付手段とを備えているものである。【選択図】図３
2019189423.tif 000002
【特許請求の範囲】
【請求項１】
前側に位置する前側支柱に取り付けられ、腕木に支持されたパレットの前側への移動を前記パレットに当接して阻止するストッパー部を有する本体を備えたパレット落下防止用ストッパー体であって、
前記本体に取り付けられ、前記前側支柱の前面に当接する前面当接部材と、
この前面当接部材に接続され、前記前側支柱の一方の側面に当接する第１の側面当接部材と、
前記前面当接部材に接続され、前記前側支柱の他方の側面に当接する第２の側面当接部材と、
前記前側支柱の背面、前記第１の側面当接部材及び前記第２の側面当接部材に当接し、本体に取り付けられた取り付け部材と、
前記本体に前記取り付け部材を取り付ける取付手段とを備えている
ことを特徴とするパレット落下防止用ストッパー体。
前記前側支柱の背面及び前記腕木に当接する腕木当接部材と、
前記腕木当接部材と前記本体で前記前側支柱を挟持する挟持部材とを備えている
ことを特徴とするパレット落下防止用ストッパー体。
【請求項２】
前側に位置する前側支柱に取り付けられ、腕木に支持されたパレットの前側への移動を前記パレットに当接して阻止するストッパー部を有する本体を備えたパレット落下防止用ストッパー体であって、
前記本体に取り付けられ、前記前側支柱の前面に当接する前面当接部材と、
この前面当接部材に接続され、前記前側支柱の一方の側面に当接する第１の側面当接部材と、
前記前面当接部材に接続され、前記前側支柱の他方の側面に当接する第２の側面当接部材と、
前記本体に取り付けられ、前記第１の側面当接部材に当接する第１の側面外当接部材と、
前記本体に取り付けられ、前記第２の側面当接部材に当接する第２の側面外当接部材と、
前記前側支柱の背面に当接する背面当接部材と、
前記第１の側面外当接部材に前記背面当接部材を取り付ける第１の取付手段と、
前記第２の側面外当接部材に前記背面当接部材を取り付ける第２の取付手段とを備えている
ことを特徴とするパレット落下防止用ストッパー体。
【請求項３】
前側に位置する前側支柱に取り付けられ、腕木に支持されたパレットの前側への移動を前記パレットに当接して阻止するストッパー部を有する本体を備えたパレット落下防止用ストッパー体であって、
前記本体に接続され、前記前側支柱の一方の側面に当接する第１の側面当接部材と、
前記本体に接続され、前記前側支柱の他方の側面に当接する第２の側面当接部材と、
前記前側支柱の背面、第１の側面当接部材及び第２の側面当接部材に当接し、本体に取り付けられた取り付け部材と、
前記本体に前記取り付け部材を取り付ける取付手段とを備えている
ことを特徴とするパレット落下防止用ストッパー体。
【請求項４】
前側に位置する前側支柱に取り付けられ、腕木に支持されたパレットの前側への移動を前記パレットに当接して阻止するストッパー部を有する本体を備えたパレット落下防止用ストッパー体であって、
前記本体に取り付けられ、前記前側支柱の一方の側面に当接する第１の側面当接部材と、
前記本体に取り付けられ、前記前側支柱の他方の側面に当接する第２の側面当接部材と、
前記本体に取り付けられ、前記第１の側面当接部材に当接する第１の側面外当接部材と、
前記本体に取り付けられ、前記第２の側面当接部材に当接する第２の側面外当接部材と、
前記前側支柱の背面に当接する背面当接部材と、
前記第１の側面外当接部材に前記背面当接部材を取り付ける第１の取付手段と、
前記第２の側面外当接部材に前記背面当接部材を取り付ける第２の取付手段とを備えている
ことを特徴とするパレット落下防止用ストッパー体。
【請求項５】
前面当接部材は、四角形状であり、
第１の側面当接部材は、四角形状であり、
第２の側面当接部材は、四角形状であり、
前記前面当接部材、前記第１の側面当接部材及び前記第２の側面当接部材は、一体である
ことを特徴とする請求項１又は請求項２記載のパレット落下防止用ストッパー体。
【請求項６】
背面当接部材は、略Ｕ字形状部で、
この略Ｕ字形状部の内方で腕木を覆い、前記略Ｕ字形状部の先端部の両方が前側支柱の背面に当接している
ことを特徴とする請求項２又は請求項４記載のパレット落下防止用ストッパー体。
【請求項７】
取り付け部材が腕木の上面に当接している
ことを特徴とする請求項１又は請求項３記載のパレット落下防止用ストッパー体。
【請求項８】
本体に設けられた前面当接部材が当接する当接部位であり、この当接部位には、前面当接部材が係合する凹所を有し、
前記前面当接部材が前記当接部位の凹所に係合した状態で、前記本体に固着して取り付けられている。
ことを特徴とする請求項１〜４のいずれかに記載のパレット落下防止用ストッパー体。
【請求項９】
本体に設けられた前面当接部材が当接する当接部位であり、
前記本体に第１、第２の衝撃吸収部材が設けられ、
前記第１の衝撃吸収部材は、前記当接部位の一方の側に位置し、
前記第２の衝撃吸収部材は、前記当接部位の他方の側に位置している
ことを特徴とする請求項１〜４のいずれかに記載のパレット落下防止用ストッパー体。
【発明の詳細な説明】
【技術分野】
【０００１】
本発明は、パレット落下防止用ストッパー体に係り、特に、前側支柱に強固に取り付けることができるパレット落下防止用ストッパー体に関する。
【背景技術】
【０００２】
本件発明者は、先に、前側支柱に取り付けることができるパレット落下防止用ストッパー体（例えば、特許文献参照）を開示した。これは、パレット落下防止用ストッパー体を略Ｕ字形状のストッパ−取り付け部材で前側支柱に取り付けていた、
【先行技術文献】
【特許文献】
【０００３】
【特許文献１】特開2004-359463号公報
【発明の概要】
【発明が解決しようとする課題】
【０００４】
しかしながら、パレット落下防止用ストッパー体を略Ｕ字形状のストッパ−取り付け部材で前側支柱に取り付けても、更に、パレット落下防止用ストッパー体を前側支柱に強固に取り付けることが求められるという問題点が生じた。
【０００５】
本発明は、上記事情を考慮したなされたパレット落下防止用ストッパー体を提供することを目的とする。
【課題を解決するための手段】
【０００６】
請求項１記載のパレット落下防止用ストッパー体は、前側に位置する前側支柱に取り付けられ、腕木に支持されたパレットの前側への移動を前記パレットに当接して阻止するストッパー部を有する本体を備えたパレット落下防止用ストッパー体であって、前記本体に取り付けられ、前記前側支柱の前面に当接する前面当接部材と、この前面当接部材に接続され、前記前側支柱の一方の側面に当接する第１の側面当接部材と、前記前面当接部材に接続され、前記前側支柱の他方の側面に当接する第２の側面当接部材と、前記前側支柱の背面、前記第１の側面当接部材及び前記第２の側面当接部材に当接し、本体に取り付けられた取り付け部材と、前記本体に前記取り付け部材を取り付ける取付手段とを備えているものである。
【０００７】
また、請求項２記載のパレット落下防止用ストッパー体は、前側に位置する前側支柱に取り付けられ、腕木に支持されたパレットの前側への移動を前記パレットに当接して阻止するストッパー部を有する本体を備えたパレット落下防止用ストッパー体であって、前記本体に取り付けられ、前記前側支柱の前面に当接する前面当接部材と、この前面当接部材に接続され、前記前側支柱の一方の側面に当接する第１の側面当接部材と、前記前面当接部材に接続され、前記前側支柱の他方の側面に当接する第２の側面当接部材と、前記本体に取り付けられ、前記第１の側面当接部材に当接する第１の側面外当接部材と、前記本体に取り付けられ、前記第２の側面当接部材に当接する第２の側面外当接部材と、前記前側支柱の背面に当接する背面当接部材と、前記第１の側面外当接部材に前記背面当接部材を取り付ける第１の取付手段と、前記第２の側面外当接部材に前記背面当接部材を取り付ける第２の取付手段とを備えているものである。
【０００８】
また、請求項３記載のパレット落下防止用ストッパー体は、前側に位置する前側支柱に取り付けられ、腕木に支持されたパレットの前側への移動を前記パレットに当接して阻止するストッパー部を有する本体を備えたパレット落下防止用ストッパー体であって、前記本体に接続され、前記前側支柱の一方の側面に当接する第１の側面当接部材と、前記本体に接続され、前記前側支柱の他方の側面に当接する第２の側面当接部材と、前記前側支柱の背面、第１の側面当接部材及び第２の側面当接部材に当接し、本体に取り付けられた取り付け部材と、前記本体に前記取り付け部材を取り付ける取付手段とを備えているものである。
【０００９】
また、請求項４記載のパレット落下防止用ストッパー体は、前側に位置する前側支柱に取り付けられ、腕木に支持されたパレットの前側への移動を前記パレットに当接して阻止するストッパー部を有する本体を備えたパレット落下防止用ストッパー体であって、前記本体に取り付けられ、前記前側支柱の一方の側面に当接する第１の側面当接部材と、前記本体に取り付けられ、前記前側支柱の他方の側面に当接する第２の側面当接部材と、前記本体に取り付けられ、前記第１の側面当接部材に当接する第１の側面外当接部材と、前記本体に取り付けられ、前記第２の側面当接部材に当接する第２の側面外当接部材と、前記前側支柱の背面に当接する背面当接部材と、前記第１の側面外当接部材に前記背面当接部材を取り付ける第１の取付手段と、前記第２の側面外当接部材に前記背面当接部材を取り付ける第２の取付手段とを備えているものである。
【００１０】
また、請求項５記載のパレット落下防止用ストッパー体は、請求項１又は請求項２記載のパレット落下防止用ストッパー体において、前面当接部材は、四角形状であり、第１の側面当接部材は、四角形状であり、第２の側面当接部材は、四角形状であり、前記前面当接部材、前記第１の側面当接部材及び前記第２の側面当接部材は、一体である。
【００１１】
また、請求項６記載のパレット落下防止用ストッパー体は、請求項２又は請求項４記載のパレット落下防止用ストッパー体において、背面当接部材は、略Ｕ字形状部で、この略Ｕ字形状部の内方で腕木を覆い、前記略Ｕ字形状部の先端部の両方が前側支柱の背面に当接しているものである。
【００１２】
また、請求項７記載のパレット落下防止用ストッパー体は、請求項１又は請求項３記載のパレット落下防止用ストッパー体において、取り付け部材が腕木の上面に当接しているものである。
【００１３】
また、請求項８記載のパレット落下防止用ストッパー体は、請求項１〜４のいずれかに記載のパレット落下防止用ストッパー体において、本体に設けられた前面当接部材が当接する当接部位であり、この当接部位には、前面当接部材が係合する凹所を有し、前記前面当接部材が前記当接部位の凹所に係合した状態で、前記本体に固着して取り付けられているものである。
【００１４】
また、請求項９記載のパレット落下防止用ストッパー体は、請求項１〜４のいずれかに記載のパレット落下防止用ストッパー体において、本体に設けられた前面当接部材が当接する当接部位であり、前記本体に第１、第２の衝撃吸収部材が設けられ、前記第１の衝撃吸収部材は、前記当接部位の一方の側に位置し、前記第２の衝撃吸収部材は、前記当接部位の他方の側に位置しているものである。
【発明の効果】
【００１５】
請求項１記載のパレット落下防止用ストッパー体によれば、前側支柱の前面が本体に取り付けられた前面当接部材に、前側支柱の一方の側面が前面当接部材に接続された第１の側面当接部材に、前側支柱の他方の側面が前面当接部材に接続された第２の側面当接部材に、それぞれ当接し、取り付け部材が前側支柱の背面、第１の側面当接部材及び第２の側面当接部材に当接し、取り付け部材と本体とで前側支柱を挟持するため、パレット落下防止用ストッパー体を前側支柱に強固に取り付けることができる。
【００１６】
また、請求項２記載のパレット落下防止用ストッパー体によれば、前側支柱の前面が本体に取り付けられ前面当接部材に、前側支柱の一方の側面が前面当接部材に接続された第１の側面当接部材に、前側支柱の他方の側面が前面当接部材に接続された第２の側面当接部材に、第１の側面外当接部材が第１の側面当接部材に、第２の側面外当接部材が第２の側面当接部材に、それぞれ当接し、背面当接部材と本体とで前側支柱を挟持するため、パレット落下防止用ストッパー体を前側支柱に強固に取り付けることができる。
【００１７】
また、請求項３記載のパレット落下防止用ストッパー体によれば、前側支柱の前面が本体に、前側支柱の一方の側面が本体に接続された第１の側面当接部材に、前側支柱の他方の側面が本体に接続された第２の側面当接部材に、それぞれ当接し、しかも、前側支柱の背面、第１の側面当接部材及び第２の側面当接部材に当接した取り付け部材と本体とで前側支柱を挟持するため、パレット落下防止用ストッパー体を前側支柱に強固に取り付けることができる。
【００１８】
また、請求項４記載のパレット落下防止用ストッパー体によれば、前側支柱の一方の側面が本体に取り付けられた第１の側面当接部材に、前側支柱の他方の側面が本体に取り付けられた第２の側面当接部材に、第１の側面外当接部材が第１の側面当接部材に、第２の側面外当接部材が第２の側面当接部材に、それぞれ当接し、背面当接部材と本体とで前側支柱を挟持するため、パレット落下防止用ストッパー体を前側支柱に強固に取り付けることができる。
【００１９】
また、請求項５記載のパレット落下防止用ストッパー体によれば、上述した請求項１又は請求項２記載の発明の効果に加え、前面当接部材、第１の側面当接部材及び第２の側面当接部材は、一体であるため、容易に構成できると共に、本体への取り付けが容易となる。
【００２０】
また、請求項６記載のパレット落下防止用ストッパー体によれば、上述した請求項２又は請求項４記載の発明の効果に加え、略Ｕ字形状部の内方で腕木を覆い、前記略Ｕ字形状部の先端部の両方が前側支柱の背面に当接しているため、パレット落下防止用ストッパー体を前側支柱に更に強固に取り付けることができる。
【００２１】
また、請求項７記載のパレット落下防止用ストッパー体によれば、上述した請求項１又は請求項３記載の発明の効果に加え、取り付け部材が腕木の上面に当接しているため、取り付け部材を安定して支持することができる。
【００２２】
また、請求項８記載のパレット落下防止用ストッパー体によれば、上述した請求項１〜４のいずれかに記載の発明の効果に加え、前面当接部材が当接部位の凹所に係合した状態で、本体に固着して取り付けらているため、前面当接部材が本体に前側へ突出しないで、強固に接合することができる。
【００２３】
また、請求項９記載のパレット落下防止用ストッパー体によれば、上述した請求項１〜４のいずれかに記載の発明の効果に加え、第１、第２の衝撃吸収部材により、パレットの衝撃力を軽減して、前側支柱にかかる衝撃力による変形防止を図ることができる。
【図面の簡単な説明】
【００２４】
【図１】図１は、本発明の一実施例のパレット落下防止用ストッパー体をラック式倉庫（立体自動倉庫）に取り付けた状態の概略的正面図である。
【図２】図２は、図１の一部を拡大して示す概略的一部拡大正面図である。
【図３】図３は、図２のパレット落下防止用ストッパー体を分解して示す概略的分解斜視図である。
【図４】図４は、図２の４−４線の概略的断面図である。
【図５】図５は、図２の５−５線の概略的断面図である。
【図６】図６は、図１と異なる他の実施例のパレット落下防止用ストッパー体をラック式倉庫（立体自動倉庫）に取り付けた状態の概略的正面図である。
【図７】図７は、図６のパレット落下防止用ストッパー体を分解して示す概略的分解斜視図である。
【図８】図８は、図７の８−８線の概略的断面図である。
【図９】図９は、図７の９−９線の概略的断面図である。
【発明を実施するための形態】
【００２５】
本発明の一実施例のパレット落下防止用ストッパー体を図面（図１乃至図５）を参照して説明する。  
[実施例１（図１乃至図５）]
図１に示すＳはパレット落下防止用ストッパー体で、パレット落下防止用ストッパー体Ｓは、例えば、ラック式倉庫（立体自動倉庫）等に使用され、物品１が搭載されたパレット２が地震で、ラック式倉庫（立体自動倉庫）等から前側Ｆ（図５）に飛び出して落下しないようにしたものである。
ラック式倉庫（立体自動倉庫）等においては、所定の間隔で立設された複数の支柱３と、この支柱３の垂直方向に沿って所定の間隔で複数設けられ、パレット２を支持する腕木４とを備えている。
【００２６】
パレット落下防止用ストッパー体Ｓは、前側Ｆに位置する前側支柱３に取り付けられ、腕木４に支持されたパレット２の前側Ｆへの移動をパレット２に当接して阻止するストッパー部を有する本体１０を備えている。
１１は、本体１０に取り付けられ（例えば、溶接により固着）、前側支柱３の前面に当接する前面当接部材で、１２は、前面当接部材１１に接続され、前側支柱３の一方の側面に当接する第１の側面当接部材で、１３は、前面当接部材１１に接続され、前側支柱３の他方の側面に当接する第２の側面当接部材である。
前面当接部材１１、第１の側面当接部材１２及び第２の側面当接部材１３は、例えば、矩形形状の部材をＵ字形状に折り曲げて形成することができる。この場合、前面当接部材１１は、四角形状であり、第１の側面当接部材１２は、四角形状であり、第２の側面当接部材１３は、四角形状であり、前面当接部材１１、第１の側面当接部材１２及び第２の側面当接部材１３は、一体となっている。
なお、１０Ａは、本体１０に設けられた前面当接部材１１が当接する当接部位であり、当接部位１０Ａには、前面当接部材１１が係合する凹所を有している。前面当接部材１１が当接部位１０Ａの凹所に係合した状態で、本体１０に取り付けられ（例えば、溶接により固着）ているため、前面当接部材１１が本体１０に前側Ｆへ突出しないで、強固に接合されている。
また、１０Ｂは、本体１０に設けられ、当接部位１０Ａの一方の側に位置した第１の衝撃吸収部材であり、１０Ｃは、本体１０に設けられ、当接部位１０Ａの他方の側に位置した第２の衝撃吸収部材である。
この第１、第２の衝撃吸収部材１０Ｂ、１０Ｃにより、パレット２の衝撃力を軽減して、前側支柱３にかかる衝撃力による変形防止を図ることができる。
【００２７】
１４は、前側支柱３の背面、第１の側面当接部材１２及び第２の側面当接部材１３に当接し、本体１０に取り付けられた取り付け部材で、１５は、本体１０に取り付け部材１３を取り付ける取付手段である。
取付手段１５は、例えば、Ｕ字形状の先端に設けられた雄ねじ１５ａ、１５ａを本体１０に設けた穴１０ａ、１０ａを貫通させ、雄ねじ１５ａ、１５ａにナット１５ｂ、１５ｂを螺合させる。
なお、取り付け部材１４は、これに限らず、例えば、特開2004-359463の図２記載のストッパ−部材（第１のストッパ−部材）（Ｔ1） の形状でも良く。この場合の取付手段１５は、ストッパ−取り付け部材（Ｐ1 ）に設けられた穴（101 ）に雄螺子（102） を通すと共に、雄螺子（102 ）をストッパ−部材（Ｔ1） に設けた雌螺子（103） に螺合させるようにする。
また、取り付け部材１４は、図５に示すように、腕木４に当接するのが望ましい。これは、取り付け部材１４の取り付け状態が良好に保持されるからである。
【００２８】
従って、上述したパレット落下防止用ストッパー体Ｓによれば、前側支柱３の前面３Ａが本体１０に取り付けられた前面当接部材１１に、前側支柱３の一方の側面３Ｂが前面当接部材１１に接続された第１の側面当接部材１２に、前側支柱３の他方の側面３Ｃが前面当接部材１１に接続された第２の側面当接部材１３に、それぞれ当接し、取り付け部材１４が前側支柱３の背面３Ｄ、第１の側面当接部材１２及び第２の側面当接部材１３に当接し、取り付け部材１４と本体１０とで前側支柱３を挟持するため、パレット落下防止用ストッパー体Ｓを前側支柱３に強固に取り付けることができる。
【００２９】
なお、上述した実施例においては、前面当接部材１１を設けたが、本願発明にあっては、これに限らず、前面当接部材１１を省略しても良い。かかる場合にあっては、図示しないが、前側支柱３の前面３Ａが本体１０に当接することとなる。
即ち、第１の側面当接部材１２は、本体１０に接続（接続は、例えば、溶接により固着して接続する。）され、前側支柱３の一方の側面３Ｂに当接し、第２の側面当接部材１３は、本体１０に接続（接続は、例えば、溶接により固着して接続する。）され、前側支柱３の他方の側面３Ｃに当接する。そして、取り付け部材１４は、前側支柱３の背面３Ｄ、第１の側面当接部材３Ｂ及び第２の側面当接部材３Ｃに当接し、本体１０に取り付けられ、取付手段材１５により本体１０に取り付け部材１４を取り付け状態を保持するようにする。
この実施例においても、上記実施例１と略同様、前側支柱３の前面３Ａが本体１０に、前側支柱３の一方の側面３Ｂが本体１０に接続された第１の側面当接部材１２に、前側支柱３の他方の側面３Ｃが本体１０に接続された第２の側面当接部材１３に、それぞれ当接し、しかも、前側支柱３の背面３Ｄ、第１の側面当接部材１２及び第２の側面当接部材１３に当接した取り付け部材１４と本体１０とで前側支柱３を挟持するため、パレット落下防止用ストッパー体Ｓを前側支柱３に強固に取り付けることができる。
【００３０】
[実施例２（図６乃至図９）]
上述の実施例１においては、取り付け部材１４と本体１０とで前側支柱３を挟持したが、本願発明にあっては、これに限らず、図６乃至図９記載のパレット落下防止用ストッパー体Ｓでも良い。
【００３１】
即ち、前面当接部材１１は、実施例１と同様に、本体１０に取り付けられ（例えば、溶接により固着）、前側支柱３の前面３Ａに当接し、第１の側面当接部材１２は、実施例１と同様に、前面当接部材１１に接続され、前側支柱３の一方の側面３Ｂに当接し、第２の側面当接部材１３は、実施例１と同様に、前面当接部材１１に接続され、前側支柱３の他方の側面３Ｃに当接している。
【００３２】
図７に示す１７は、本体１０に取り付けられ（例えば、溶接により固着）、第１の側面当接部材１２に当接する第１の側面外当接部材で、１８は、本体１０に取り付けられ（例えば、溶接により固着）、第２の側面当接部材１３に当接する第２の側面外当接部材である。なお、更に、強度を増すために、第１の側面外当接部材１７を第１の側面当接部材１２に溶接により、第２の側面外当接部材１８を第２の側面当接部材１３に溶接により、それぞれ固着するようにしても良い。
また、１９は、前側支柱３の背面３Ｄに当接する背面当接部材で、２０は、第１の側面外当接部材１２に背面当接部材１９を取り付ける第１の取付手段で、２１は、第２の側面外当接部材１８に背面当接部材１９を取り付ける第２の取付手段である。
背面当接部材１９は、例えば、図７に示すように、略Ｕ字形状部で、この略Ｕ字形状部の内方で腕木４を覆い、略Ｕ字形状部の先端部の両方が前側支柱３の背面３Ｄに当接している（図９参照）。そのため、パレット落下防止用ストッパー体Ｓを前側支柱３に更に強固に取り付けることができる。
なお、第１の取付手段２０は、例えば、第１の側面外当接部材１７に設けた雄ねじ２０ａと、この雄ねじ２０ａに螺合するナット２０ｂである。
また、第２の取付手段２１は、例えば、第２の側面外当接部材１８に設けた雄ねじ２１ａと、この雄ねじ２１ａに螺合するナット２１ｂである。
【００３３】
なお、１０Ａは、実施例１と同様、本体１０に設けられた前面当接部材１１が当接する当接部位であり、当接部位１０Ａには、前面当接部材１１が係合する凹所を有している。前面当接部材１１が当接部位１０Ａの凹所に係合した状態で、本体１０に取り付けられ（例えば、溶接により固着）ているため、前面当接部材１１が本体１０に前側Ｆへ突出しないで、強固に接合されている。
また、１０Ｂは、、実施例１と同様、本体１０に設けられ、当接部位１０Ａの一方の側に位置した第１の衝撃吸収部材であり、１０Ｃは、本体１０に設けられ、当接部位１０Ａの他方の側に位置した第２の衝撃吸収部材である。
この第１、第２の衝撃吸収部材１０Ｂ、１０Ｃにより、パレット２の衝撃力を軽減して、前側支柱３にかかる衝撃力による変形防止を図ることができる。
【００３４】
従って、パレット落下防止用ストッパー体Ｓによれば、前側支柱３の前面３Ａが本体１０に取り付けられ前面当接部材１１に、前側支柱３の一方の側面３Ａが前面当接部材１１に接続された第１の側面当接部材１２に、前側支柱３の他方の側面３Ｃが前面当接部材１１に接続された第２の側面当接部材１３に、第１の側面外当接部材１７が第１の側面当接部材１２に、第２の側面外当接部材１８が第２の側面当接部材１３に、それぞれ当接し、背面当接部材１９と本体１０とで前側支柱３を挟持するため、パレット落下防止用ストッパー体Ｓを前側支柱３に強固に取り付けることができる。加えて、第１、第２の取付手段２０、２１のナット２０ａ、２０ｂが、パレット落下防止用ストッパー体Ｓの前側Ｆ（図９）に位置しない分、パレット２の出入作業に支障を来さない効果を有する。
【００３５】
なお、上述した実施例２においては、前面当接部材１１を設けたが、本願発明にあっては、これに限らず、前面当接部材１１を省略しても良い。かかる場合にあっては、図示しないが、前側支柱３の前面３Ａが本体１０に当接することとなる。
【００３６】
即ち、第１の側面当接部材１２は、本体１０に接続（接続は、例えば、溶接により固着して接続する。）され、前側支柱３の一方の側面３Ｂに当接し、第２の側面当接部材１３は、本体１０に接続（接続は、例えば、溶接により固着して接続する。）され、前側支柱３の他方の側面３Ｃに当接し、第１の側面外当接部材１７は、本体１０に取り付けられ（取り付けは、例えば、溶接により固着して取り付ける。）、第１の側面当接部材１２に当接し、第２の側面外当接部材１８は、本体１０に取り付けられ（取り付けは、例えば、溶接により固着して取り付ける。）、第２の側面当接部材１３に当接する    そして、第１の取付手段２０により、第１の側面外当接部材１７に背面当接部材１９を取り付け、取り付け状態を保持するようにする。
また、第２の取付手段２１により、第２の側面外当接部材１８に背面当接部材１９を取り付け、取り付け状態を保持するようにする。
【００３７】
この実施例においても、上記実施例２と略同様、前側支柱３の一方の側面３Ｂが本体１０に接続された第１の側面当接部材１２に、前側支柱３の他方の側面３Ｃが本体１０に接続された第２の側面当接部材３Ｃに、第１の側面外当接部材１７が第１の側面当接部材１２に、第２の側面外当接部材１８が第２の側面当接部材１３に、それぞれ当接し、背面当接部材１９と本体１０とで前側支柱３を挟持するため、パレット落下防止用ストッパー体Ｓを前側支柱３に強固に取り付けることができる。
【符号の説明】
【００３８】
Ｓ      パレット落下防止用ストッパー体
２      パレット
３      前側支柱
３Ａ    前面
３Ｂ    一方の側面
３Ｃ    側面
３Ｄ    背面
４    腕木
１０    本体
１１    前面当接部材
１２    第１の側面当接部材
１３    第２の側面当接部材
１４    取り付け部材
１５    取付手段
【図１】
2019189423.tif 000003
【図２】
2019189423.tif 000004
【図３】
2019189423.tif 000005
【図４】
2019189423.tif 000006
【図５】
2019189423.tif 000007
【図６】
2019189423.tif 000008
【図７】
2019189423.tif 000009
【図８】
2019189423.tif 000010
【図９】
2019189423.tif 000011
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
前側に位置する前側支柱に取り付けられ、腕木に支持されたパレットの前側への移動を前記パレットに当接して阻止するストッパー部を有する本体を備えたパレット落下防止用ストッパー体であって、
前記本体に取り付けられ、前記前側支柱の前面に当接する前面当接部材と、
この前面当接部材に接続され、前記前側支柱の一方の側面に当接する第１の側面当接部材と、
前記前面当接部材に接続され、前記前側支柱の他方の側面に当接する第２の側面当接部材と、
前記前側支柱の背面、前記第１の側面当接部材及び前記第２の側面当接部材に当接し、本体に取り付けられた取り付け部材と、
前記本体に前記取り付け部材を取り付ける取付手段とを備えている
ことを特徴とするパレット落下防止用ストッパー体。
【請求項２】
前側に位置する前側支柱に取り付けられ、腕木に支持されたパレットの前側への移動を前記パレットに当接して阻止するストッパー部を有する本体を備えたパレット落下防止用ストッパー体であって、
前記本体に取り付けられ、前記前側支柱の前面に当接する前面当接部材と、
この前面当接部材に接続され、前記前側支柱の一方の側面に当接する第１の側面当接部材と、
前記前面当接部材に接続され、前記前側支柱の他方の側面に当接する第２の側面当接部材と、
前記本体に取り付けられ、前記第１の側面当接部材に当接する第１の側面外当接部材と、
前記本体に取り付けられ、前記第２の側面当接部材に当接する第２の側面外当接部材と、
前記前側支柱の背面に当接する背面当接部材と、
前記第１の側面外当接部材に前記背面当接部材を取り付ける第１の取付手段と、
前記第２の側面外当接部材に前記背面当接部材を取り付ける第２の取付手段とを備えている
ことを特徴とするパレット落下防止用ストッパー体。
【請求項３】
前側に位置する前側支柱に取り付けられ、腕木に支持されたパレットの前側への移動を前記パレットに当接して阻止するストッパー部を有する本体を備えたパレット落下防止用ストッパー体であって、
前記本体に接続され、前記前側支柱の一方の側面に当接する第１の側面当接部材と、
前記本体に接続され、前記前側支柱の他方の側面に当接する第２の側面当接部材と、
前記前側支柱の背面、第１の側面当接部材及び第２の側面当接部材に当接し、本体に取り付けられた取り付け部材と、
前記本体に前記取り付け部材を取り付ける取付手段とを備えている
ことを特徴とするパレット落下防止用ストッパー体。
【請求項４】
前側に位置する前側支柱に取り付けられ、腕木に支持されたパレットの前側への移動を前記パレットに当接して阻止するストッパー部を有する本体を備えたパレット落下防止用ストッパー体であって、
前記本体に取り付けられ、前記前側支柱の一方の側面に当接する第１の側面当接部材と、
前記本体に取り付けられ、前記前側支柱の他方の側面に当接する第２の側面当接部材と、
前記本体に取り付けられ、前記第１の側面当接部材に当接する第１の側面外当接部材と、
前記本体に取り付けられ、前記第２の側面当接部材に当接する第２の側面外当接部材と、
前記前側支柱の背面に当接する背面当接部材と、
前記第１の側面外当接部材に前記背面当接部材を取り付ける第１の取付手段と、
前記第２の側面外当接部材に前記背面当接部材を取り付ける第２の取付手段とを備えている
ことを特徴とするパレット落下防止用ストッパー体。
【請求項５】
前面当接部材は、四角形状であり、
第１の側面当接部材は、四角形状であり、
第２の側面当接部材は、四角形状であり、
前記前面当接部材、前記第１の側面当接部材及び前記第２の側面当接部材は、一体である
ことを特徴とする請求項１又は請求項２記載のパレット落下防止用ストッパー体。
【請求項６】
背面当接部材は、略Ｕ字形状部で、
この略Ｕ字形状部の内方で腕木を覆い、前記略Ｕ字形状部の先端部の両方が前側支柱の背面に当接している
ことを特徴とする請求項２又は請求項４記載のパレット落下防止用ストッパー体。
【請求項７】
取り付け部材が腕木の上面に当接している
ことを特徴とする請求項１又は請求項３記載のパレット落下防止用ストッパー体。
【請求項８】
本体に設けられた前面当接部材が当接する当接部位であり、この当接部位には、前面当接部材が係合する凹所を有し、
前記前面当接部材が前記当接部位の凹所に係合した状態で、前記本体に固着して取り付けられている。
ことを特徴とする請求項１又は請求項２記載のパレット落下防止用ストッパー体。
【請求項９】
本体に設けられた前面当接部材が当接する当接部位であり、
前記本体に第１、第２の衝撃吸収部材が設けられ、
前記第１の衝撃吸収部材は、前記当接部位の一方の側に位置し、
前記第２の衝撃吸収部材は、前記当接部位の他方の側に位置している
ことを特徴とする請求項１又は請求項２記載のパレット落下防止用ストッパー体。
【手続補正２】
【補正対象書類名】明細書
【補正対象項目名】００１３
【補正方法】変更
【補正の内容】
【００１３】
また、請求項８記載のパレット落下防止用ストッパー体は、請求項１又は請求項２記載のパレット落下防止用ストッパー体において、本体に設けられた前面当接部材が当接する当接部位であり、この当接部位には、前面当接部材が係合する凹所を有し、前記前面当接部材が前記当接部位の凹所に係合した状態で、前記本体に固着して取り付けられているものである。
【手続補正３】
【補正対象書類名】明細書
【補正対象項目名】００１４
【補正方法】変更
【補正の内容】
【００１４】
また、請求項９記載のパレット落下防止用ストッパー体は、請求項１又は請求項２記載のパレット落下防止用ストッパー体において、本体に設けられた前面当接部材が当接する当接部位であり、前記本体に第１、第２の衝撃吸収部材が設けられ、前記第１の衝撃吸収部材は、前記当接部位の一方の側に位置し、前記第２の衝撃吸収部材は、前記当接部位の他方の側に位置しているものである。
【手続補正４】
【補正対象書類名】明細書
【補正対象項目名】００２２
【補正方法】変更
【補正の内容】
【００２２】
また、請求項８記載のパレット落下防止用ストッパー体によれば、上述した請求項１又は請求項２記載の発明の効果に加え、前面当接部材が当接部位の凹所に係合した状態で、本体に固着して取り付けらているため、前面当接部材が本体に前側へ突出しないで、強固に接合することができる。
【手続補正５】
【補正対象書類名】明細書
【補正対象項目名】００２３
【補正方法】変更
【補正の内容】
【００２３】
また、請求項９記載のパレット落下防止用ストッパー体によれば、上述した請求項１又は請求項２記載の発明の効果に加え、第１、第２の衝撃吸収部材により、パレットの衝撃力を軽減して、前側支柱にかかる衝撃力による変形防止を図ることができる。